【事件の表示】
　平成　３年特許願第　７６３５７号「スロットマシンのクレジット設定回路」拒絶査定に対する審判事件［平成　４年１０月３０日出願公開、特開平　４−３０９３８７］について、次のとおり審決する。
【結　論】
　本件審判の請求は、成り立たない。
【理　由】
 ［１］手続の経緯・本願発明
　本願は、平成３年４月９日の出願であって、その請求項１に係わる発明は、特許請求の範囲の請求項１に記載された次のとおりのものと認める（以下「本願発明」という）。　
　「盤面に設置する３個のクレジットインスイッチと、該クレジットインスイッチのそれぞれの操作に対応して、１個、２個、少なくとも３個のパルスをメダル個数信号として出力するクレジットスイッチ回路と、該クレジットスイッチ回路からのメダル個数信号に基づいて有効ラインの種別を入賞判定回路に送出する有効ライン設定回路とからなり、　
　該有効ライン設定回路は、メダル個数信号の３個以上のパルスを３個のパルスとみなすことを特徴とするスロットマシンのクレジット設定回路」　
　
　
［２］刊行物に記載された発明
（１）原査定において拒絶の理由として引用された、特開平１−２６８５８８号公報（以下「刊行物１」という）には、以下の旨の記載が認められる。
　（１−１）．「（産業上の利用分野）　　
　本発明は、スタートレバーを押すと３個の回胴が回転をはじめ各回胴に対応して設けられたストップスイッチを押すと対応する回胴が停止し各回胴に表示された図柄が所定の組み合わせの状態で停止した場合に入賞として所定の枚数のコインを払い出すようにしたオリンピアゲームマシンの改良に関する。」（第２頁左下欄第５〜１２行）　　
　（１−２）．「（従来の技術）　
　従来のオリンピアゲームマシンにおいては、コイン貯留装置動作スイッチをオンとすると所定枚数のコイン（現行では法律によって５０枚に規定されている）が貯留される。そしてコイン投入スイッチは１個だけ設けられており、該コイン投入スイッチを一回押すと一枚のコインが投入され、二回押すと二枚のコインが投入されそして三回押すと三枚のコインが投入される機構を有し」（第２頁左下欄第１３行〜同頁右下欄第１行）　　
　（１−３）．「（発明が解決しようとする課題）　　
　このような従来のオリンピアゲームマシンの機構では、複数枚のコインを投入したいときには、コイン投入スイッチを複数回押圧する必要があり、もともとコイン投入作業自体が単調で面倒であるうえに、コイン投入スイッチを複数回押圧するのは大変に煩わしいものであった。」（第２頁右下欄第８〜１４行）
　（１−４）．「（課題を解決するための手段）　　
　上記目的を達成するために、本発明のオリンピアゲームマシンにおいては、３個のコイン投入スイッチを設け第一のコイン投入スイッチを押すとコイン貯留装置から１枚のコインが投入され第二のコイン投入スイッチを押すとコイン貯留装置から２枚のコインが投入されかつ第三のコイン投入スイッチを押すとコイン貯留装置から３枚のコインが投入されるようにしたものである。」（第２頁右下欄第１９行〜第３頁左上欄第７行）　　
　（１−５）．「８は投入コイン枚数を表示するためのコインランプで、該コインランプ８の点灯によって有効ラインの表示をも行う。」（第３頁左下欄第末行行〜同頁右下欄第２行）　　　
　（１−６）．「３個の回胴Ｒ１，Ｒ２，Ｒ３が停止した後、下記の通りに入賞の判定を行う。」との記載の次に、コイン投入枚数に対応する有効ラインに関する記載が為され、続けて「そして、入賞したときは入賞ラインのコインランプが点滅し、入賞図柄の組み合わせに応じて所定の払い出し枚数のコインを払い出し、コイン払い出し枚数を払い出し表示器１６に表示する。」（第４頁右下欄第１９行〜第５頁左上欄下から第７行）　
　　
（２）実願昭６１ー１７０１８８号（実開昭６３−７７０９１号）のマイクロフィルム（以下「刊行物２」という）には以下の旨の記載が認められる。
　（２−１）．従来の技術として「このスロットマシンでは、射幸心を抑えるため、ゲームごとにメダルを１〜３枚の範囲内でマシンに投入してメダルの投入ごとにゲーム操作をするようになっており、３枚以上のメダルが投入されると、投入された余剰メダルはゲーム者側に払出されるようになっている」（第２頁第１２〜１７行）　　
　（２−２）．「６はメダルを一括投入した場合におけるゲームメダル数の設定部で、ここでは一例としてメダル数が１枚，２枚，３枚の３種類のセットボタン６ａ〜６ｃが設けられており、各ボタンの操作に対応したパルス信号を発生する。」（第６頁第１〜５行）
　（２−３）．「８はゲームメダル数設定部６から送られて来るゲーム毎の設定メダル数を表わすパルスを順次カウンタ５に供給すると共に、そのパルス数の累積値を計数する一方、」（第６頁第１１〜１４行）　　
　（２−４）．「その計数値が予め設定される所定値に一致するときを検出してその検出した時間が所定時間であるかあるかどうかを判別する判別部である。即ち、上記検出時間が所定時間内であるときは、残りの時間が所定時間になるまで設定部６からのパルス供給を排除し」（第６頁第１４〜１９行）　　
（３）特開平１−２２３９８７号公報（以下「刊行物３」という）には、以下の旨の記載が認められる。　　　
　（３−１）．「従来のスロットマシンは、機械の前面にメダル投入口が設けてあり、遊技者が各ゲーム毎に、このメダル投入口へ１〜３枚のメダルを投入した後」（第１頁左欄末行〜同頁右欄第３行）　　　
　（３−２）．「この発明は、上記問題に着目してなされたものであって、メダル箱に容れた多数枚のメダルをそのまま一括投入可能となすことによって、メダルに手が触れずに、しかも円滑かつ迅速にゲームを進行できる新規なスロットマシンを提供することを目的とする。」（第１頁右欄第１５〜末行）　　
　（３−３）．「・・・。このメダル貯蔵部１９は、ゲームの実行に消費される前のメダル、すなわち遊技者の保有にかかるメダルを貯蔵するためのものである。」（第２頁右下欄第７〜１０行）　　
　（３−４）．「・・・メダル放出指令がある毎にメダル貯蔵部１９の貯蔵メダルを１枚ずつメダル通路２２へ順次放出する。このホッパ装置HP１より放出されるメダルは、そのままゲームの実行に消費されるか、」（第２頁右下欄第１４〜１８行）　　
　（３−５）．「・・・、メダル貯蔵部１９の貯蔵メダルが１枚ずつ放出される。この放出メダルがメダル検知センサ２２の位置を通過する毎に、メダル検知センサ２２はメダル検知信号を出力する。第５図（３）のステップ１３において、このメダル検知信号を制御回路部４０のＣＰＵ４１が取り込むと、ＣＰＵ４１はつぎのステップ１４のメダル処理を行い」（第４頁左欄第１５行〜同頁右下欄第２行）　　
　（３−６）．「放出されたメダルの総数が３枚以下であればその放出枚数を、また３枚より多ければ３枚を、それぞれつぎのゲームを実行するためのメダルに充当させ、」（第４頁右下欄第２〜６行）
　　
［３］対比
　刊行物１に記載された発明と本願発明とを対比する。
前者における「コイン投入スイッチ」は、前記（１−４）の記載から、後者における「クレジットインスイッチ」に相当し、前記（１−５）、（１−６）、（１−１）の記載からみて前者には、本願発明における「入賞判定回路」、入賞ライン種別に関する「有効ライン設定回路」、及び、投入されたメダル個数信号としての「クレジットスイッチ回路」」に相当するものが存在することは明らかであるので、両者は、「盤面に設置する３個のクレジットインスイッチと、該クレジットインスイッチのそれぞれの操作に対応して、１個、２個、少なくとも３個を表すメダル個数信号を出力するクレジットスイッチ回路と、該クレジットスイッチ回路からのメダル個数信号に基づいて有効ラインの種別を入賞判定回路に送出する有効ライン設定回路とからなるスロットマシンのクレジット設定回路」において一致し、以下の点で相違する。
　相違点（１）
　本願発明は、「クレジットスイッチ回路」におけるメダル個数信号として、パルス信号と特定しているのに対し、刊行物１に記載された発明においては、メダル個数信号の特定に関する記載は認められない点。　　
　相違点（２）　　
本願発明は、有効ライン設定回路において、メダル個数信号の３個以上のパルスを３個のパルスとみなしているのに対し、刊行物１に記載された発明においては、当該事項に関して記載されていない点。
　　
　　
 ［４］相違点の検討
　相違点（１）について、
　前記（２−３）、及び（３−５）に記載されるように、スロットマシンにおいては、ゲーム毎の設定メダル数を表す信号をパルス信号として送出することが周知慣用手段であり、しかも、当該パルス信号に特定したことによる格別の作用・効果も認められないから、当該信号に特定することは、当業者が適宜為しえる程度の事項である。
　相違点（２）について、
　ゲーム毎の設定メダル数が１，２，３枚に設定されているスロットマシンにおいて、最大設定枚数である３枚以上のメダル数を認識した場合、当該マシンの対応処理手段としては、設定メダル数を１枚として処理するか、２枚として処理するか、３枚として処理するか、動作不能として処理するかの４手段が想定されることはその遊技の形態から明らかであり、しかも、そのような場合に、最大メダル設定数として処理すること、及び最大メダル設定数である３枚とすることも、前記（２−４）、及び（３−６）、（２−１）に記載されるように周知慣用事項であるから、当該３枚以上、すなわち、３個以上のメダル個数信号を受けた場合に３個のメダル個数信号として処理することは、当業者が適宜なし得る設計的事項である。　　
　さらに、メダル個数信号としてパルス信号を用いることは前記したとおりであり、しかも、当該処理手段の配設箇所として有効ライン設定回路とすることによる格別の作用・効果も認められない。　　
　　　
　　
［５］むすび　
  したがって、本願発明は、刊行物１に記載された発明に基づいて当業者が容易に発明をすることができたものであるので、特許法第２９条第２項の規定により特許を受けることができない。　　
　よって、結論のとおり審決する。